(57)【要約】【課題】光学フィルタをストレスの低い状態で保持できるカメラ用フィルタユニットを提供すること。【解決手段】カメラ用フィルタユニット１のフィルタ保持リング３は、内周側に光学フィルタ２が挿入された環状板部１８と、光学フィルタ２を挟持する前側当接部２１および後側当接部２２を有する。後側当接部２２は環状板部１８の後端部１８ａを内周側に折り曲げるカシメ加工により形成される。環状板部１８は、内周面に外周側に向って先細りとなる三角形の環状溝２３を備える。カシメ加工では、環状板部１８は環状溝２３が形成されている部分から内周側に折り曲げられる。環状板部１８の薄い部分を折り曲げるので、比較的弱い力で後側当接部２２を形成できる。また、弱い力で後側当接部２２を形成した場合でも、後側当接部２２を精度よく形成できるので、前側当接部２１と後側当接部２２により光学フィルタ２を確実に挟持できる。【選択図】図３
2016071079.tif 000002
【特許請求の範囲】
【請求項１】
内周側に光学フィルタが挿入された環状板部と、前記光学フィルタに軸線方向の一方側および他方側から当接して当該光学フィルタを挟持する第１当接部および第２当接部とを有し、前記第２当接部が前記環状板部の前記軸線方向の他方側の端部を内周側に折り曲げて形成されたカメラ用フィルタ枠において、
前記環状板部は、外周面および内周面の少なくとも一方に環状溝を備え、
前記第２当接部は、前記環状板部において前記環状溝が形成されている部分が内周側に折り曲げられていることを特徴とするカメラ用フィルタ枠。
【請求項２】
請求項１において、
前記第２当接部は、前記光学フィルタにおけるフィルタ面と環状外周面との間に設けられたテーパー状の面取面に当接し、
前記環状溝は、前記環状板部が折り曲げられる前の状態で前記光学フィルタを前記第１当接部に当接させた状態を前記軸線方向と直交する方向から見た場合に、前記環状外周面と前記面取面の間の角部と重なる位置に設けられていることを特徴とするカメラ用フィルタ枠。
【請求項３】
請求項２において、
前記環状溝は、前記内周面に設けられており、
前記環状溝の断面形状は、前記環状板部が折り曲げられる前の状態では外周側に向って先細りとなる三角形であることを特徴とするカメラ用フィルタ枠。
【請求項４】
請求項３において、
前記環状溝は、前記軸線方向と直交して延びる平坦な環状内壁面と当該環状内壁面の外周側の端から前記軸線方向の他方側に向って内周側に傾斜するテーパー状内壁面を備えることを特徴とするカメラ用フィルタ枠。
【請求項５】
請求項４において、
前記第２当接部が形成された状態では、前記環状溝が塞がれていることを特徴とするカメラ用フィルタ枠。
【請求項６】
請求項１ないし５のうちのいずれかの項において、
前記環状板部は、前記環状溝よりも前記軸線方向の一方側に当該軸線方向と交差する方向に貫通する接着剤注入孔を備えることを特徴とするカメラ用フィルタ枠。
【請求項７】
請求項１ないし６のうちのいずれかの項において、
前記環状板部、前記第１当接部および前記第２当接部を備えるフィルタ保持リングと、
前記フィルタ保持リングを内周側に保持するフィルタ枠と、を有し、
前記フィルタ枠は、前記第２当接部が前記光学フィルタから離間したときに当該第２当接部に当接可能なストッパを備えることを特徴とするカメラ用フィルタ枠。
【請求項８】
請求項１ないし７のうちのいずれかの項に記載のカメラ用フィルタ枠と、
前記カメラ用フィルタ枠に保持された光学フィルタと、
を有することを特徴とするカメラ用フィルタユニット。
【発明の詳細な説明】
【技術分野】
【０００１】
本発明は、カシメ加工によって光学フィルタを挟持するカメラ用フィルタ枠およびカメラ用フィルタユニットに関する。
【背景技術】
【０００２】
撮像レンズのレンズ鏡筒に取り付けられるカメラ用フィルタユニットは、アルミニウムなどの金属製のフィルタ枠を有する。フィルタ枠は、後端部の外周面にレンズ鏡筒に装着するための雄ネジを備え、前端部の内周面にレンズキャップやフードなどを装着するための雌ネジを備える。また、フィルタ枠は、内周側に光学フィルタを保持する環状のフィルタ保持部を備える。フィルタ保持部は、光学フィルタが挿入される環状板部と、光学フィルタに軸線方向の両側から当接して光学フィルタを挟持する前側当接部および後側当接部を備える。
【０００３】
後側当接部はカシメ加工により形成される。すなわち、環状板部の後端部には後方に向かって内周側に傾斜するテーパー面（カシメベロ部）が設けられており、カシメ用金型にはこのテーパー面に当接可能な前向きのテーパー面が設けられている。カシメ加工では、まず、光学フィルタを環状板部に挿入して前側当接部に当接させた状態とする。次に、環状板部のテーパー面とカシメ用金型のテーパー面とを当接させる。その後、カシメ用金型によって環状板部の後端部に加圧を加えて光学フィルタに押し付ける。これにより、環状板部の後端部が内周側に折り曲げられて後側当接部となる。カシメ加工によって後側当接部を形成したカメラ用フィルタユニットは特許文献１に記載されている。
【先行技術文献】
【特許文献】
【０００４】
【特許文献１】特許第５４３１６１１号公報
【発明の概要】
【発明が解決しようとする課題】
【０００５】
このようなカシメ加工では、環状板部における変形位置（折れ曲がり位置）が目標とする目標変形位置よりも前方や後方にばらつくことがある。変形位置が目標変形位置よりも後方にずれると、カシメ加工により形成された後側当接部が光学フィルタに密着せず、前側当接部と後側当接部による光学フィルタの挟持が確実なものとならないことがある。
【０００６】
前側当接部と後側当接部による光学フィルタの挟持を確実なものとするためには、変形位置が後方にずれた場合でも後側当接部が光学フィルタに密着するように、強い力で環状板部を変形させればよい。しかし、変形位置が後方にずれた場合を考慮して環状板部を変形させる力を強くすると、フィルタ枠の表面に損傷を与える場合がある。例えば、環状板部を変形させる力を強くすると、アルマイト処理によってフィルタ枠（環状板部）の表面に形成されていた皮膜が破損する場合などがある。
【０００７】
本発明の課題は、かかる点に鑑みて、光学フィルタを挟持するためのカシメ加工を従来よりも弱い力で精度良く行うことができるカメラ用フィルタユニットを提供することにある。
【課題を解決するための手段】
【０００８】
上記の課題を解決するために、本発明は、内周側に光学フィルタが挿入された環状板部と、前記光学フィルタに軸線方向の一方側および他方側から当接して当該光学フィルタを
挟持する第１当接部および第２当接部とを有し、前記第２当接部が前記環状板部の前記軸線方向の他方側の端部を内周側に折り曲げて形成されたカメラ用フィルタ枠において、前記環状板部は、外周面および内周面の少なくとも一方に環状溝を備え、前記第２当接部は、前記環状板部において前記環状溝が形成されている部分が内周側に折り曲げられていることを特徴とする。
【０００９】
本発明では、環状溝の形成により環状板部に薄い部分を設けるので、環状板部の後端部を内周側に折り曲げるカシメ加工を行うと、環状溝が形成されている部分から環状板部が変形する。すなわち、環状溝により、カシメ加工における環状板部の変形位置が規定される。従って、変形位置がずれることを考慮して環状板部を変形させる力を必要以上に強くする必要がない。また、カシメ加工により環状板部の薄い部分を折り曲げるので、環状溝を設けない場合と比較して、弱い力で第２当接部を形成できる。さらに、環状板部の変形位置を規定できるので、第２当接部を精度よく形成できる。よって、第１当接部と第２当接部による光学フィルタの挟持を確実なものとすることができる。
【００１０】
本発明において、フィルタ面の外周側に面取面を備える光学フィルタを保持する場合には、前記第２当接部は、前記光学フィルタにおけるフィルタ面と環状外周面との間に設けられたテーパー状の面取面に当接し、前記環状溝は、前記環状板部が折り曲げられる前の状態で前記光学フィルタを前記第１当接部に当接させた状態を前記軸線方向と直交する方向から見た場合に、前記環状外周面と前記面取面の間の角部と重なる位置に設けられているものとすることができる。このようにすれば、環状板部の後端部を光学フィルタの面取面に沿って折り曲げて面取面に当接させることが容易となる。ここで、環状溝の一方側の端を規定している内壁面の内周側の端縁の位置と角部の位置が一致している場合も、軸線方向と直交する方向から見た場合に環状溝が角部と重なる位置に設けられている状態に含まれるものとする。
【００１１】
本発明において、第２当接部を光学フィルタの面取面に沿って折り曲げるためには、前記環状溝は、前記内周面に設けられており、前記環状溝の断面形状は、前記環状板部が折り曲げられる前の状態では外周側に向って先細りとなる三角形であるものとすることができる。このようにすれば、環状板部における環状溝の底（断面形状の三角形の頂点の外周側）に位置する部分からカシメ加工による変形を開始させることができる。
【００１２】
本発明において、前記環状溝は、前記軸線方向と直交して延びる平坦な環状内壁面と当該環状内壁面の外周側の端から前記軸線方向の他方側に向って内周側に傾斜するテーパー状内壁面を備えるものとすることができる。このようにすれば、環状溝の深さ寸法および環状内壁面に対するテーパー状内壁面の角度を精度よく規定できる。
【００１３】
本発明において、前記第２当接部が形成された状態では、前記環状溝が塞がれていることが望ましい。このようにすれば、環状板部の後端部を内周側に折り曲げる角度を、環状内壁面に対するテーパー状内壁面の角度によって規定できる。
【００１４】
本発明において、前記環状板部は、前記環状溝よりも前記軸線方向の一方側に当該軸線方向と交差する方向に貫通する接着剤注入孔を備えることが望ましい。このようにすれば、環状板部に光学フィルタを挿入した後に、接着剤注入孔を介して環状板部の内周側に接着剤を注入して環状板部と光学フィルタの間に接着剤を介在させることができる。接着剤によっても光学フィルタを環状板部に固定できるので、弱い力で第２当接部を形成した場合でも光学フィルタの保持を確実なものとすることができる。
【００１５】
本発明において、前記環状板部、前記第１当接部および前記第２当接部を備えるフィルタ保持リングと、前記フィルタ保持リングを内周側に保持するフィルタ枠と、を有し、前
記フィルタ枠は、前記第２当接部が前記光学フィルタから離間したときに当該第２当接部に当接可能なストッパを備えるものとすることができる。このようにすれば、内周側に折り曲げられることにより形成された第２当接部が元の状態に戻る方向に変形した場合でも、ストッパとの当接により第２当接部のそれ以上の変形を回避できる。従って、光学フィルタの脱落を防止できる。
【００１６】
次に、本発明のカメラ用フィルタユニットは、上記のカメラ用フィルタ枠と、前記カメラ用フィルタ枠に保持された光学フィルタと、を有することを特徴とする。
【００１７】
本発明によれば、光学フィルタを挟持するためのカシメ加工を従来よりも弱い力で行った場合でも、カメラ用フィルタ枠から光学フィルタが脱落することがない。
【図面の簡単な説明】
【００１８】
【図１】本発明を適用した実施例１のカメラ用フィルタユニットの斜視図である。
【図２】実施例１のカメラ用フィルタユニットの縦断面図と部分拡大断面図である。
【図３】実施例１のカメラ用フィルタユニットの製造方法の説明図である。
【図４】環状板部に設けられた変形例の環状溝の説明図である。
【図５】実施例２のカメラ用フィルタユニットの説明図である。
【図６】実施例３のカメラ用フィルタユニットの縦断面図と部分拡大断面図である。
【図７】実施例３のカメラ用フィルタユニットの製造方法の説明図である。
【図８】実施例３の変形例のカメラ用フィルタユニットの説明図である。
【発明を実施するための形態】
【００１９】
以下に、図面を参照して本発明を適用したカメラ用フィルタユニットを説明する。
【００２０】
（実施例１）
（全体構成）
図１は本発明を適用したカメラ用フィルタユニットの斜視図である。図２（ａ）は図１のカメラ用フィルタユニット１を模式的に示した縦断面図であり、図２（ｂ）は光学フィルタ２の外周縁部分の近傍を拡大した部分拡大断面図である。図３はカメラ用フィルタユニット１の製造方法の説明図である。図１に示すように、本発明のカメラ用フィルタユニット１は、光学フィルタ２と、光学フィルタ２が同軸に嵌め込まれたフィルタ保持リング３と、フィルタ保持リング３を外周側から同軸に保持するフィルタ枠４を有する。フィルタ保持リング３およびフィルタ枠４は光学フィルタ２を保持するカメラ用フィルタ枠６を構成する。フィルタ保持リング３およびフィルタ枠４はアルミニウムや真鍮などの金属基材から形成される。本例では、フィルタ保持リング３およびフィルタ枠４はアルミニウム製であり、これらの表面にはアルマイト処理が施されている。以下の説明では、フィルタ保持リング３およびフィルタ枠４の軸線Ｌ方向をカメラ用フィルタユニット１の前後方向Ｘとする。
【００２１】
光学フィルタ２およびフィルタ保持リング３は、フィルタ枠４の前後の端から露出しない状態に配置されている。フィルタ枠４の後端部の外周面には枠側雄ねじ５が形成されている。枠側雄ねじ５は、カメラ用フィルタユニット１を撮像レンズのレンズ鏡筒やカメラに装着するための装着部である。
【００２２】
（光学フィルタ）
図２（ａ）に示すように、光学フィルタ２は円盤形状であり、軸線Ｌと直交する前側フィルタ面１１および後側フィルタ面１２を備える。後側フィルタ面１２の外周縁には、図２（ｂ）に示すように、前方Ｘ１に向かって外周側に傾斜するテーパー状の環状面取面１３が連続している。環状面取面１３の前端縁には径寸法が一定の環状外周面１４が連続し
ている。環状外周面１４の前端縁には前側フィルタ面１１が連続している。図３（ａ）に示すように、環状外周面１４に対する環状面取面１３の傾斜角度θ１は４５°である。なお、光学フィルタ２は、環状外周面１４と前側フィルタ面１１との間に前方Ｘ１に向かって内周側に傾斜するテーパー状の環状面取面１３を備える場合もある。
【００２３】
（フィルタ保持リング）
図２（ａ）に示すように、フィルタ保持リング３は、光学フィルタ２の外周側に位置するリング本体１６を備える。図２（ｂ）に示すように、リング本体１６は、外周面にリング側雄ねじ２５が形成された雄ネジ部１７と、雄ネジ部１７の内周側の端部分から後側に延びる環状板部１８を備える。
【００２４】
雄ネジ部１７の前端縁には前側当接部（第１当接部）２１が形成されている。前側当接部２１は雄ネジ部１７から内周側に突出する環状突起である。前側当接部２１の環状前端面はリング本体１６と同心の溝が複数形成されることにより乱反射面となっている。前側当接部２１の環状後端面２１ａは軸線Ｌと直交する平坦面である。前側当接部２１は、リング本体１６の内周側に挿入された光学フィルタ２の前側フィルタ面１１の外周縁に前方Ｘ１から当接して光学フィルタ２の前方Ｘ１への移動を阻止する。
【００２５】
環状板部１８は、その後端部１８ａが光学フィルタ２の環状面取面１３に沿って延びる後側当接部（第２当接部）２２となっている。後側当接部２２は、リング本体１６の内周側に挿入された光学フィルタ２の環状面取面１３に後方Ｘ２から当接して光学フィルタ２の後方Ｘ２への移動を阻止する。後側当接部２２と前側当接部２１は光学フィルタ２を軸線Ｌ方向の両側から挟持する。
【００２６】
環状板部１８における後側当接部２２よりも前方Ｘ１は筒部１８ｂとなっている。筒部１８ｂの環状内周面は雄ネジ部１７の環状内周面と段差なく連続しており、これらの環状内周面は光学フィルタ２を外周側から保持するフィルタ保持面２４を構成している。また、筒部１８ｂは径寸法が一定の平滑なリング側環状外周面２６を備える。リング側環状外周面２６はリング側雄ねじ２５よりも内周側に位置しており、リング側環状外周面２６とリング側雄ねじ２５の間にはこれらを連続させるリング側環状後向き面２７が設けられている。
【００２７】
ここで、環状板部１８は内周面に環状溝２３を備える。後側当接部２２は、環状板部１８において環状溝２３が設けられた部分から角部１５に沿って内周側に折り曲げられることにより形成されている。後側当接部２２が形成された状態では環状溝２３は塞がれている。
【００２８】
（フィルタ枠）
図２に示すように、フィルタ枠４の内周面には、その前端縁から後方Ｘ２に向けて一定幅の領域に枠側雌ねじ３１が形成されている。枠側雌ねじ３１にはリング側雄ねじ２５が螺合し、フィルタ枠４には前方Ｘ１からフィルタ保持リング３がねじ込まれている。ここで、枠側雌ねじ３１の形成領域の幅寸法はリング側雄ねじ２５の形成領域の幅寸法よりも長い。従って、フィルタ保持リング３がフィルタ枠４に保持された状態では、枠側雌ねじ３１の前端部分が露出する。露出した枠側雌ねじ３１の前端部分は、レンズキャップやフードの取付け部、或いは、他のカメラ用フィルタユニットを連結するための連結部として用いられる。
【００２９】
フィルタ枠４は後端部１８ａに内周側に突出する環状突出部（ストッパ）３２を備える。環状突出部３２は、前方Ｘ１を向く平坦な環状前端面３２ａと環状前端面３２ａの内周側の端縁から軸線Ｌと平行に後方Ｘ２に延びる環状内周面３２ｂを備える。フィルタ枠４
の内周面において、枠側雌ねじ３１の形成領域と環状前端面３２ａの間には、形寸法が一定の枠側環状内周面３３が形成されている。枠側環状内周面３３は枠側雌ねじ３１よりも僅かに内周側に位置しており、枠側環状内周面３３と枠側雌ねじ３１の間にはこれらを連続させる枠側環状前向き面３４が設けられている。
【００３０】
フィルタ枠４の内周側にフィルタ保持リング３が保持された状態では、フィルタ枠４の枠側環状前向き面３４とフィルタ保持リング３のリング側環状後向き面２７が当接する。また、枠側環状内周面３３とリング側環状外周面２６が狭い間隔を開けて対向する。さらに、環状突出部３２の環状前端面３２ａとフィルタ保持リング３の後端（第２当接部の後端）が僅かな間隔Ｈを空けて対峙する。本例では、この間隔Ｈは０．１ｍｍ〜０．３ｍｍである。また、環状突出部３２の環状内周面３２ｂはフィルタ保持リング３の後端よりも内周側に位置しており、カメラ用フィルタユニット１を軸線Ｌ方向の後方Ｘ２から見た場合には、後側当接部２２は環状突出部３２に隠れる。ここで、フィルタ保持リング３とフィルタ枠４の間には接着剤が介在しており、フィルタ保持リング３はフィルタ枠４に相対回転不能な状態で固定されている。
【００３１】
（カメラ用フィルタユニットの製造方法）
図３（ａ）に示すように、カメラ用フィルタユニット１を製造する際には、まず、後側当接部２２が設けられていない状態のフィルタ保持リング３に、後方Ｘ２から光学フィルタ２を嵌め込む。次に、フィルタ保持リング３の後端部１８ａ（環状板部１８の後端部１８ａ）を内周側に折り曲げるカシメ加工を行う。
【００３２】
ここで、図３（ａ）に示すように、フィルタ保持リング３（環状板部１８）が折り曲げられる前の状態では、環状板部１８の後端部１８ａは光学フィルタ２の環状外周面１４と平行（軸線Ｌと平行）に延びている。また、環状板部１８の内周面に設けられた環状溝２３は、軸線Ｌを含む平面でフィルタ保持リング３を切断した場合の断面形状が外周側に向って先細りとなる三角形である。環状溝２３は光学フィルタ２の環状面取面１３と環状外周面１４の境界の角部１５の径方向の外側に位置する部分に設けられている。
【００３３】
より詳細には、環状溝２３は、軸線Ｌと直交する環状内壁面２３ａと環状内壁面２３ａの外周側の端縁から後方Ｘ２に向かって内周側に傾斜するテーパー状内壁面２３ｂによって規定されている。環状内壁面２３ａの高さ寸法（環状溝２３の深さ寸法）は環状板部１８の厚さ寸法の１／３である。本例では、環状板部１８の厚さ寸法が０．３ｍｍであるのに対して環状溝２３の深さ寸法は０．１ｍｍである。なお、環状溝２３の深さ寸法は環状板部１８の強度を考慮して１／２以下とすることが望ましい。
【００３４】
また、環状内壁面２３ａの位置は、光学フィルタ２を前側当接部２１に当接させた状態で光学フィルタ２の角部１５よりも極僅かに前方Ｘ１に位置している。従って、軸線Ｌ方向と直交する方向から見た場合には、環状溝２３と角部１５が重なっている。また、角部１５は、テーパー状内壁面２３ｂの内周側の端縁よりも環状内壁面２３ａの内周側の端縁の近くに位置している。さらに、環状内壁面２３ａに対するテーパー状内壁面２３ｂの傾斜角度θ２は、４５°であり、光学フィルタ２の環状外周面１４に対する環状面取面１３の傾斜角度θ１と対応している。換言すれば、環状内壁面２３ａに対するテーパー状内壁面２３ｂの傾斜角度θ２は、環状板部１８を内周側に折り曲げる角度と対応している。
【００３５】
図３（ｂ）に示すように、カシメ加工では、カシメ用金型Ｋを用いてフィルタ保持リング３の環状板部１８の後端部１８ａに力を加える。これにより、環状板部１８は、環状溝２３が形成されている部分から変形を開始する。その後、カシメ用金型Ｋによって環状溝２３が塞がれる状態になるまで（環状内壁面２３ａとテーパー状内壁面２３ｂが接触するまで）、環状板部１８の後端部１８ａを内周側に折り曲げる。これにより、光学フィルタ
２は、前側当接部２１と後側当接部２２により軸線Ｌ方向の両側から挟持され、フィルタ保持リング３に固定された状態となる。
【００３６】
次に、フィルタ保持リング３のリング側環状外周面２６とリング側環状後向き面２７の間の入角に接着剤（不図示）を塗布する。その後、図２に示すように、フィルタ保持リング３をフィルタ枠４に挿入し、リング側雄ねじ２５を枠側雌ねじ３１に螺合させて、フィルタ保持リング３をねじ込む。そして、フィルタ保持リング３のリング側環状後向き面２７とフィルタ枠４の枠側環状前向き面３４が当接するまでフィルタ枠４にねじ込んで固定する。しかる後に、接着剤の硬化によってフィルタ保持リング３とフィルタ枠４が相対回転不能な状態に固定されるのを待つ。これにより、カメラ用フィルタユニット１が完成する。
【００３７】
ここで、光学フィルタ２における前側フィルタ面１１から角部１５までの厚さ寸法（環状外周面１４の軸線Ｌ方向の長さ寸法）にばらつきがある場合には、フィルタ保持リング３として、環状溝２３の形成位置を軸線Ｌ方向に変化させたものを複数種類用意しておく。そして、光学フィルタ２における前側フィルタ面１１から角部１５までの厚さ寸法を計測した後に、環状溝２３が角部１５と重なる位置に設けられたフィルタ保持リング３を選択して、カメラ用フィルタユニット１を製造する。選択されるフィルタ保持リング３は、前側当接部２１の環状後端面２１ａから環状溝２３の環状内壁面２３ａまでの軸線Ｌ方向の長さ寸法が光学フィルタ２における前側フィルタ面１１から角部１５までの厚さ寸法以下であり、かつ、前側当接部２１の環状後端面２１ａからテーパー状内壁面２３ｂの内周側の端縁までの軸線Ｌ方向の長さ寸法が光学フィルタ２における前側フィルタ面１１から角部１５までの厚さ寸法よりも長いものとなる。
【００３８】
（作用効果）
本例によれば、環状溝２３の形成により環状板部１８に薄い部分を設けるので、環状板部１８の後端部１８ａを内周側に折り曲げるカシメ加工を行うと、環状溝２３が形成されている部分から環状板部１８が変形する。すなわち、環状溝２３により、カシメ加工における環状板部１８の変形位置が規定される。従って、変形位置がずれることを考慮して環状板部１８を変形させる力を必要以上に強くする必要がない。また、カシメ加工により環状板部１８の薄い部分を折り曲げるので、環状溝２３を設けない場合と比較して、弱い力で後側当接部２２を形成できる。さらに、カシメ加工における環状板部１８の変形位置が規定されるので、後側当接部２２を精度よく形成できる。よって、前側当接部２１と後側当接部２２による光学フィルタ２の挟持を確実なものとすることができる。
【００３９】
また、本例では、環状溝２３の断面形状が三角形なので、環状板部１８における環状溝２３の底（断面形状の三角形の頂点の外周側）に位置する部分からカシメ加工による変形を開始させることができる。これに加えて、環状溝２３が軸線Ｌ方向と直交して延びる環状内壁面２３ａとテーパー状内壁面２３ｂを備えるので、環状溝２３の深さおよび環状内壁面２３ａに対するテーパー状内壁面２３ｂの角度を管理することが容易である。
【００４０】
さらに、本例では、環状内壁面２３ａに対するテーパー状内壁面２３ｂの傾斜角度θ２と光学フィルタ２の環状外周面１４に対する環状面取面１３の傾斜角度θ１を対応させており、後側当接部２２が形成された状態では、環状内壁面２３ａとテーパー状内壁面２３ｂを当接させて環状溝２３を塞いでいる。従って、環状板部１８の後端部１８ａを内周側に折り曲げる角度を、環状内壁面２３ａに対するテーパー状内壁面２３ｂの傾斜角度θ２によって精度よく規定できる。
【００４１】
また、本例では、カシメ加工のために、環状板部１８の後端部１８ａに後方Ｘ２に向かって内周側に傾斜するテーパー面（カシメベロ部）を設ける必要はなく、環状板部１８に
おける環状溝２３よりも後方Ｘ２の部分を一定厚さとすることができる。
【００４２】
さらに、本例では、厚さ寸法にばらつきのある光学フィルタ２がカメラ用フィルタユニット１の製造に用いられる場合に、光学フィルタ２における前側フィルタ面１１から角部１５までの厚さ寸法に対応する位置に環状溝２３が設けられたフィルタ保持リング３を用いる。これにより、光学フィルタ２の厚さ寸法のばらつきにかかわらず、後側当接部２２を精度よく形成できる。従って、光学フィルタ２の厚さ寸法のばらつきにかかわらず、前側当接部２１と後側当接部２２による光学フィルタ２の挟持を確実なものとすることができる。
【００４３】
ここで、環状溝２３における環状内壁面２３ａの軸線Ｌ方向の位置が光学フィルタ２の角部１５の位置と一致していてもよい。すなわち、環状溝２３の前方Ｘ１の端を規定する内壁面の内周側の端縁の位置と角部１５の位置が一致していてもよい。なお、本明細書では、環状溝２３の前方Ｘ１の端を規定している内壁面の内周側の端縁の位置と角部１５の位置が一致している場合も、軸線Ｌ方向と直交する方向から見た場合に環状溝２３が角部１５と重なる位置に形成されている状態に含まれるものとする。
【００４４】
（変形例）
図４は環状板部１８に設ける環状溝の変形例の説明図である。図４の上側の図は、後側当接部２２を形成する前のフィルタ保持リング３および光学フィルタ２の部分断面図であり、図４の下側の図は、後側当接部２２を形成した後のフィルタ保持リング３および光学フィルタ２の部分断面図である。図４（ａ）に示すように、変形例１の環状溝４１は、その断面形状が三角形であり、後方Ｘ２を向くテーパー状内壁面４１ａと前方Ｘ１を向くテーパー状内壁面４１ｂを備える。環状溝４１は、軸線Ｌ方向と直交する方向から見た場合に環状溝４１内に角部１５が含まれる位置に形成されている。また、環状溝４１を規定するテーパー状内壁面４１ａとテーパー状内壁面４１ｂが成す傾斜角度θ２は、光学フィルタ２の環状外周面１４に対する環状面取面１３の傾斜角度θ１と対応する角度とされている。そして、後側当接部２２が形成された状態では環状溝４１が塞がれた状態となる。すなわち、カシメ加工では、テーパー状内壁面４１ａとテーパー状内壁面４１ｂが接触した状態となるまで環状板部１８の後端部１８ａを折り曲げて、後側当接部２２を形成する。このようにしても弱い力で後側当接部２２を形成でき、かつ、後側当接部２２を精度よく形成できる。よって、前側当接部２１と後側当接部２２による光学フィルタ２の挟持を確実なものとすることができる。
【００４５】
図４（ｂ）に示すように変形例２の環状溝４２は環状板部１８の外周面に設けられている。環状溝４２は、その断面形状が矩形であり、軸線Ｌ方向と直交する方向から見た場合に角部１５と重なる位置に形成されている。このようにしても弱い力で後側当接部２２を形成でき、かつ、後側当接部２２を精度よく形成できる。よって、前側当接部２１と後側当接部２２による光学フィルタ２の挟持を確実なものとすることができる。なお、環状溝は、環状板部１８の外周側と内周側の双方に設けてもよい。
【００４６】
ここで、図４（ｃ）に示すように、光学フィルタ２が環状面取面１３を備えていない場合には環状板部１８に変形例２の環状溝４２を設ける。環状溝４２は、軸線Ｌ方向と直交する方向から見た場合に環状外周面１４と後側フィルタ面１２の境界の角部１２ａが含まれる位置に形成する。そして、カシメ加工により、環状板部１８の後端部１８ａを後側フィルタ面１２に沿って折り曲げて後側当接部２２を形成する。このようにしても弱い力で後側当接部２２を形成でき、かつ、後側当接部２２を精度よく形成できる。よって、前側当接部２１と後側当接部２２による光学フィルタ２の挟持を確実なものとすることができる。
【００４７】
（実施例２）
図５は実施例２のカメラ用フィルタユニットの説明図である。本例のカメラ用フィルタユニット１Ａは、フィルタ保持リング３が環状板部１８に接着剤注入孔４６を備える。また、フィルタ保持リング３と光学フィルタ２の間に接着剤４７が介在している。なお、その他の構成は図２に示す実施例１のカメラ用フィルタユニット１と同一なので、同一の符号を付して、その説明を省略する。
【００４８】
図５に示すように、接着剤注入孔４６は、環状板部１８の筒部１８ｂに軸線Ｌと直交する方向に貫通している。接着剤注入孔４６は筒部１８ｂの周方向に等角度間隔で３つ設けられている。各接着剤注入孔４６は外周側から内周側に向って内径寸法が小さくなるテーパー内周面を備える。接着剤４７は接着剤注入孔４６を介してフィルタ保持リング３の内周側に注入されている。接着剤４７は光学フィルタ２の環状外周面１４とフィルタ保持リング３のフィルタ保持面２４の間に入り込んでいる。
【００４９】
本例では、フィルタ保持リング３と光学フィルタ２の間に介在する接着剤４７により光学フィルタ２のフィルタ保持リング３への固定がより確実なものとなる。また、フィルタ保持リング３に接着剤注入孔４６を備えるので、フィルタ保持リング３と光学フィルタ２の間への接着剤４７の注入が容易である。さらに、接着剤注入孔４６がフィルタ保持リング３に形成されているので、フィルタ保持リング３をフィルタ枠４にねじ込んで固定したときに、接着剤注入孔４６がフィルタ枠４によって隠されて外側に露出しない。従って、カメラ用フィルタユニットの外観を維持するために、接着剤４７を注入した後に接着剤注入孔４６を封止するなどの処理を施す必要がない。なお、接着剤注入孔４６は、１つでもよく、４つ以上を筒部１８ｂに形成してもよい。
【００５０】
また、本例では、接着剤４７によって光学フィルタ２をフィルタ保持リング３に固定するので、接着剤４７を用いない場合と比較して、前側当接部２１と後側当接部２２によって光学フィルタ２を挟持する力が小さくてもよい。従って、弱い力で後側当接部２２を形成することができる。
【００５１】
（実施例３）
図６（ａ）は実施例３のカメラ用フィルタユニットを模式的に示した縦断面図であり、図６（ｂ）は光学フィルタ２の外周縁部分の近傍を拡大した部分拡大断面図である。図７は実施例３のカメラ用フィルタユニットの製造方法の説明図である。本例のカメラ用フィルタユニット１Ｂでは、光学フィルタ２は、前側フィルタ面１１の外周縁に連続して後方Ｘ２に向かって外周側に傾斜するテーパー状の環状面取面１３を備える。環状面取面１３の外周端縁には後方Ｘ２に延びる環状外周面１４が連続している。環状面取面１３と環状外周面１４の間は角部１５となっている。なお、光学フィルタ２は後側フィルタ面１２の外周側に環状面取面を備えていない。本例のカメラ用フィルタユニット１Ｂは実施例１のカメラ用フィルタユニット１と対応する構成を備えるので、対応する部分に同一の符号を付す。
【００５２】
図６（ａ）に示すように、カメラ用フィルタユニット１Ｂは、光学フィルタ２と、光学フィルタ２を同軸に保持するカメラ用フィルタ枠６を有する。光学フィルタ２はカメラ用フィルタ枠６の前後の端から露出しない状態に配置されている。カメラ用フィルタ枠６は、枠体７と、枠体７の内周側に設けられた環状のフィルタ保持部８を備える。
【００５３】
枠体７の後端部の外周面には、枠側雄ねじ５が形成されている。枠側雄ねじ５は、カメラ用フィルタユニット１Ｂを撮像レンズのレンズ鏡筒やカメラに装着するための装着部である。枠体７の前端部の内周面には、枠側雌ねじ３１が形成されている。枠側雌ねじ３１は、レンズキャップやフードの取付け部、或いは、他のカメラ用フィルタユニットを連結
するための連結部として用いられる。フィルタ保持部８は枠側雌ねじ３１の後方Ｘ２に設けられている。
【００５４】
図６（ｂ）に示すように、フィルタ保持部８は、外周側の端部分が枠体７に連続する連結部２０と、連結部２０の内周側の端部分から前方Ｘ１に延びる環状板部１８を備える。連結部２０の後端縁には後側当接部（第１当接部）２２が形成されている。後側当接部２２は連結部２０から内周側に突出する環状突起である。後側当接部２２は、リング本体１６の内周側に挿入された光学フィルタ２の後側フィルタ面１２の外周縁に後方Ｘ２から当接して光学フィルタ２の後方Ｘ２への移動を阻止する。
【００５５】
環状板部１８は、その前端部１８ａが光学フィルタ２の環状面取面１３に沿って延びる前側当接部（第２当接部）２１となっている。前側当接部２１は、フィルタ保持部８の内周側に挿入された光学フィルタ２の環状面取面１３に前方Ｘ１から当接して光学フィルタ２の前方Ｘ１への移動を阻止する。前側当接部２１と後側当接部２２は光学フィルタ２を軸線Ｌ方向の両側から挟持する。
【００５６】
環状板部１８における前側当接部２１よりも後方Ｘ２は筒部１８ｂとなっている。筒部１８ｂの環状内周面は連結部２０の環状内周面と段差なく連続しており、これらの環状内周面は光学フィルタ２を外周側から保持するフィルタ保持面２４を構成している。また、筒部１８ｂは径寸法が一定の平滑なリング側環状外周面２６を備える。リング側環状外周面２６と枠体７の内周面部分７ａとの間には隙間４５が形成されている。
【００５７】
ここで、環状板部１８は内周面に環状溝２３を備える。前側当接部２１は、環状板部１８において環状溝２３が設けられた部分から角部１５に沿って内周側に折り曲げられることにより形成されている。前側当接部２１が形成された状態では環状溝２３は塞がれている。
【００５８】
（カメラ用フィルタユニットの製造方法）
図７（ａ）に示すように、カメラ用フィルタユニット１Ｂを製造する際には、まず、前側当接部２１が設けられていない状態のカメラ用フィルタ枠６に、前方Ｘ１から光学フィルタ２を嵌め込む。次に、フィルタ保持部８の前端部１８ａ（環状板部１８の前端部１８ａ）を内周側に折り曲げるカシメ加工を行う。
【００５９】
ここで、図７（ａ）に示すように、前側当接部２１を設ける前の状態では、環状板部１８の前端部１８ａは光学フィルタ２の環状外周面１４と平行（軸線Ｌと平行）に延びている。また、環状板部１８の内周面に設けられた環状溝２３は、軸線Ｌを含む平面でフィルタ保持リング３を切断した場合の断面形状が外周側に向って先細りとなる三角形である。環状溝２３は光学フィルタ２の環状面取面１３と環状外周面１４の境界の角部１５の径方向の外側に位置する部分に設けられている。
【００６０】
環状溝２３は、軸線Ｌと直交する環状内壁面２３ａと環状内壁面２３ａの外周側の端から前方Ｘ１に向かって内周側に傾斜するテーパー状内壁面２３ｂによって規定されている。環状内壁面２３ａの高さ寸法（環状溝２３の深さ寸法）は環状板部１８の厚さ寸法の１／３である。また、環状内壁面２３ａの位置は、光学フィルタ２を後側当接部２２に当接させた状態で光学フィルタ２の角部１５よりも僅かに後方Ｘ２に位置している。従って、軸線Ｌ方向と直交する方向から見た場合には、環状溝２３と角部１５が重なっている。また、角部１５は、テーパー状内壁面２３ｂの内周側の端縁よりも環状内壁面２３ａの内周側の端縁の近くに位置している。さらに、環状内壁面２３ａに対するテーパー状内壁面２３ｂの傾斜角度θ２は、４５°であり、光学フィルタ２の環状外周面１４に対する環状面取面１３の傾斜角度θ１（４５°）と対応している。
【００６１】
カシメ加工では、カシメ用金型Ｌを環状板部１８と枠体７の間の隙間４５に前方Ｘ１挿入して、環状板部１８の前端部１８ａに力を加える。これにより、環状板部１８は、環状溝２３が形成されている部分から変形を開始する。その後、カシメ用金型Ｌによって環状溝２３が塞がれる状態になるまで環状板部１８の前端部１８ａを内周側に折り曲げる。これにより、光学フィルタ２は前側当接部２１と後側当接部２２によって軸線Ｌ方向の両側から挟持されフィルタ保持リング３に固定された状態となり、カメラ用フィルタユニット１が完成する。
【００６２】
本例においても、実施例１と同様の作用効果を得ることができる。また、本例においても変形例１、２と同様の環状溝を採用することができる。さらに、本例においても、実施例２のように、環状板部１８に接着剤注入孔４６を備え、環状板部１８と光学フィルタ２の間に接着剤４７を介在させることができる。ここで、環状板部１８に接着剤注入孔４６を設ける場合には、接着剤注入孔４６を介して環状板部１８と光学フィルタ２の間に接着剤４７を注入するために、枠体７において半径方向から見た場合に接着剤注入孔４６と重なる位置に貫通孔を形成しておき、接着剤４７を注入するためのノズルを当該貫通孔を介して接着剤注入孔４６に挿入可能とすることが望ましい。
【００６３】
（実施例３の変形例）
図８は実施例３の変形例のカメラ用フィルタユニットの説明図である。なお、本例のカメラ用フィルタユニット１Ｃは実施例２のカメラ用フィルタユニット１Ｂと対応する構成を備えるので、対応する部分には同一の符号を付して、その説明を省略する。
【００６４】
本例のカメラ用フィルタユニット１Ｃでは、光学フィルタ２は、後側フィルタ面１２の外周縁に連続して前方Ｘ１に向かって外周側に傾斜するテーパー状の環状面取面１３を備える。環状面取面１３の外周端縁には前方Ｘ１に延びる環状外周面１４が連続している。環状面取面１３と環状外周面１４の間は角部１５となっている。光学フィルタ２は前側フィルタ面１１の外周側に環状面取面を備えていない。
【００６５】
また、本例のカメラ用フィルタユニット１Ｃでは、フィルタ保持部８は、前方Ｘ１から後方Ｘ２に向かって連結部２０と環状板部１８をこの順番に備える。環状板部１８は連結部２０の内周側の端部分から後方Ｘ２に延びている。連結部２０の前端縁には内周側に突出する環状突起が形成されており、当該環状突起は光学フィルタ２に前方Ｘ１から当接する前側当接部２１となっている。環状板部１８の後端部１８ａはカシメ加工によって内周側に折り曲げられた後側当接部２２となっている。後側当接部２２は光学フィルタ２に後方Ｘ２から当接して光学フィルタ２の後方Ｘ２への移動を阻止する。
【００６６】
カメラ用フィルタユニット１Ｃを製造する際には、後端部１８ａが内周側に折り曲げられる前の状態の環状板部１８に光学フィルタ２を後方Ｘ２から挿入する。しかる後に、カシメ加工によって環状板部１８の後端部１８ｂを内周側に折り曲げる。本例においても環状板部１８の内周面に断面形状が三角形の環状溝２３を設けている。環状溝２３は、実施例１の環状溝２３と同様に、軸線Ｌと直交する環状内壁面２３ａと環状内壁面２３ａの外周側の端縁から後方Ｘ２に向かって内周側に傾斜するテーパー状内壁面２３ｂによって規定されている。また、軸線Ｌ方向と直交する方向から見た場合には、環状溝２３と角部１５が重なっている。
【００６７】
本例においても、環状溝２３の形成により環状板部１８に薄い部分を設けるので、環状板部１８の後端部１８ａを内周側に折り曲げるカシメ加工を行うと、環状溝２３が形成されている部分から環状板部１８が変形する。従って、カシメ加工では、弱い力で後側当接部２２を形成でき、かつ、後側当接部２２を精度よく形成できる。よって、前側当接部２
１と後側当接部２２により光学フィルタ２を確実に挟持できる。
【符号の説明】
【００６８】
１・１Ａ・・・カメラ用フィルタユニット
２・・・光学フィルタ
３・・・フィルタ保持リング
４・・・フィルタ枠
６・・・カメラ用フィルタ枠
１２・・・後側フィルタ面（フィルタ面）
１３・・・環状面取面
１４・・・環状外周面
１５・・・角部
１８・・・環状板部
２１・・・前側当接部
２２・・・後側当接部
２３・４１・４２・・・環状溝
２３ａ・・・環状内壁面
２３ｂ・・・テーパー状内壁面
３２・・・環状突出部（ストッパ）
４６・・・接着剤注入孔
Ｌ・・・軸線
Ｘ・・・前後方向
【図１】
2016071079.tif 000003
【図２】
2016071079.tif 000004
【図３】
2016071079.tif 000005
【図４】
2016071079.tif 000006
【図５】
2016071079.tif 000007
【図６】
2016071079.tif 000008
【図７】
2016071079.tif 000009
【図８】
2016071079.tif 000010